【手続補正書】
【提出日】平成31年2月13日(2019.2.13)
【手続補正１】
【補正対象書類名】明細書
【補正対象項目名】０００６
【補正方法】変更
【補正の内容】
【０００６】
この発明に係る画像送信制御装置は、通信手段と、記録指示信号を検出する検出手段と、前記検出手段が前記記録指示信号を検出すると、画像を記録するよう制御する制御手段と、前記記録指示信号の発生条件に応じて、前記制御手段によって記録された画像を当該装置外部へ送信するよう前記通信手段を制御する送信制御手段と、を備えることを特徴とする。
【手続補正２】
【補正対象書類名】明細書
【補正対象項目名】０００７
【補正方法】変更
【補正の内容】
【０００７】
この発明に係る画像送信システムは、撮像装置と外部装置とから構成される画像送信システムであって、前記外部装置は、第１の通信手段と、外部環境が特定の条件を満たしたか否かを判別する判別手段と、この判別手段により前記所定の条件を満たしたと判別すると、前記第１の通信手段に対し記録指示信号を送信させるよう制御する第１の制御手段と、を備え、前記撮像装置は、撮像手段と、第２の通信手段と、所定の記録モードの実行中であって前記第２の通信手段が前記記録指示信号を受信したか否かを判別する判別手段と、前記判別手段によって前記記録指示信号を受信したと判別すると、前記所定の記録モードを維持した状態で、この検出された前記記録指示信号に応答して画像を記録するよう制御する第２の制御手段と、前記第２の制御手段によって記録された画像を当該装置外部へ送信するよう前記第２の通信手段を制御する送信制御手段と、を備えることを特徴とする。
【手続補正３】
【補正対象書類名】明細書
【補正対象項目名】０００８
【補正方法】変更
【補正の内容】
【０００８】
この発明に係る画像送信制御方法は、記録指示信号を検出する検出ステップと、前記検出ステップが前記記録指示信号を検出したと判断すると、撮像部に対し、画像を記録する記録動作を行わせる記録動作ステップと、前記記録指示信号の発生条件に応じて、前記記録された画像を送信するよう通信部を制御する制御ステップと、を含むことを特徴とする。
【手続補正４】
【補正対象書類名】明細書
【補正対象項目名】０００９
【補正方法】変更
【補正の内容】
【０００９】
この発明に係るプログラムは、画像送信装置が備えるコンピュータを、記録指示信号を検出する検出手段、前記検出手段によって前記記録指示信号を検出したと判断すると、撮像部に対し、画像を記録する記録動作を行わせる記録動作手段、前記記録指示信号の発生条件に応じて、前記記録された画像を送信するよう通信部を制御する制御手段、として機能させることを特徴とする。
【手続補正５】
【補正対象書類名】特許請求の範囲
【補正対象項目名】全文
【補正方法】変更
【補正の内容】
【特許請求の範囲】
【請求項１】
通信手段と、
記録指示信号を検出する検出手段と、
前記検出手段が前記記録指示信号を検出すると、画像を記録するよう制御する制御手段と、
前記記録指示信号の発生条件に応じて、前記制御手段によって記録された画像を当該装置外部へ送信するよう前記通信手段を制御する送信制御手段と、
を備えることを特徴とする画像送信制御装置。
【請求項２】
前記記録指示信号の発生条件には、少なくとも、所定の時間間隔で発生した場合と、任意のタイミングで発生した場合と、が含まれることを特徴とする請求項１記載の画像送信制御装置。
【請求項３】
特定の記録モードによる記録指示信号は前記所定時間間隔で発生し、
前記制御手段は、前記特定の記録モードの実行中に前記記録指示信号の発生条件が任意のタイミングで発生したものである場合、当該特定の記録モードの実行を維持した状態で、前記任意のタイミングで発生した前記記録指示信号に応答して画像を記録するよう制御することを特徴とする請求項２に記載の画像送信制御装置。
【請求項４】
前記任意のタイミングによる記録指示信号の検出により記録された画像に前記装置外部への送信を指示する情報を対応付ける手段を更に備え、
前記送信制御手段は、前記特定の記録モードでの記録動作中でないタイミングで、前記情報が対応付けられた画像を前記装置外部へ送信するよう制御することを特徴とする請求項２に記載の画像送信制御装置。
【請求項５】
前記任意のタイミングによる記録指示信号は、前記装置外部から送信され、前記通信手段により受信されることを特徴とする請求項１乃至４の何れか一項に記載の画像送信制御装置。
【請求項６】
前記任意のタイミングによる記録指示信号は前記装置外部の外部機器から送信されることを特徴とする請求項１乃至４の何れか一項に記載に記載の画像送信制御装置。
【請求項７】
前記外部機器は、自身が特定の動きを検出したことに応答して前記任意のタイミングによる記録指示信号を送信することを特徴とする請求項６に記載の画像送信制御装置。
【請求項８】
前記任意のタイミングには、装置外部の環境が特定の条件を満たした時点が含まれることを特徴とする請求項１乃至７の何れか一項に記載の画像送信制御装置。
【請求項９】
前記任意のタイミングによる記録指示信号は、前記特定の条件に関する情報を含むことを特徴とする請求項８に記載の画像送信制御装置。
【請求項１０】
前記制御手段は、前記特定のタイミングによる記録指示信号を検出することにより記録された画像は、記録動作に応答して前記装置外部に送信することなく、当該装置が備える記録手段に記録させるよう制御することを特徴とする請求項１乃至9の何れか一項に記載の画像送信制御装置。
【請求項１１】
撮像装置と外部装置とから構成される画像送信システムであって、
前記外部装置は、
第１の通信手段と、
外部環境が特定の条件を満たしたか否かを判別する判別手段と、
この判別手段により前記所定の条件を満たしたと判別すると、前記第１の通信手段に対し記録指示信号を送信させるよう制御する第１の制御手段と、
を備え、
前記撮像装置は、
撮像手段と、
第２の通信手段と、
所定の記録モードの実行中であって前記第２の通信手段が前記記録指示信号を受信したか否かを判別する判別手段と、
前記判別手段によって前記記録指示信号を受信したと判別すると、前記所定の記録モードを維持した状態で、この検出された前記記録指示信号に応答して画像を記録するよう制御する第２の制御手段と、
前記第２の制御手段によって記録された画像を当該装置外部へ送信するよう前記第２の通信手段を制御する送信制御手段と、
を備えることを特徴とする画像送信システム。
【請求項１２】
前記第２の制御手段は更に、
前記記録指示信号の検出により記録された画像に前記装置外部への送信を指示する情報を対応付け、
前記送信制御手段は更に、
前記所定の記録モードでの記録動作中でないタイミングで、前記情報が対応付けられた画像を前記装置外部へ送信するよう前記第２の通信手段を制御する、
ことを特徴とする請求項１１に記載の画像送信システム。
【請求項１３】
前記記録指示信号は、前記特定の条件に関する情報を含むことを特徴とする請求項１０又は１１に記載の画像送信システム。
【請求項１４】
前記外部環境が特定の条件を満たしたか否かには、前記外部装置自身が所定の動きを検出したか否かかが含まれることを特徴とする請求項１０又は１１に記載の画像送信システム。
【請求項１５】
前記第２の制御手段は、
前記記録モードによって記録された画像は、記録動作に応答して前記装置外部に送信することなく、当該装置が備える記録部に記録させることを特徴とする請求項１０乃至１４のいずれか一項に記載の画像送信システム。
【請求項１６】
記録指示信号を検出する検出ステップと、
前記検出ステップが前記記録指示信号を検出したと判断すると、
撮像部に対し、画像を記録する記録動作を行わせる記録動作ステップと、
前記記録指示信号の発生条件に応じて、前記記録された画像を送信するよう通信部を制御する制御ステップと、
を含むことを特徴とする画像送信制御方法。
【請求項１７】
画像送信装置が備えるコンピュータを、
記録指示信号を検出する検出手段、
前記検出手段によって前記記録指示信号を検出したと判断すると、撮像部に対し、画像を記録する記録動作を行わせる記録動作手段、
前記記録指示信号の発生条件に応じて、前記記録された画像を送信するよう通信部を制御する制御手段、
として機能させることを特徴とするプログラム。